(57)【特許請求の範囲】
【請求項１】
第１の力伝達エレメントに対して回動位置の調節可能な第２の力伝達エレメントをロックするための装置において、
第１の力伝達エレメント（２９）と第２の力伝達エレメント（３１）とが、位置調節によって可変の共通の作業室（３５）を備えており、該作業室（３５）がレオロジー的な流体である圧力媒体で充填されるようになっており、レオロジー的な流体に、レオロジー的な流体を凝固するために、電圧または磁界が負荷されるようになっていることを特徴とする、第１の力伝達エレメントに対して回動位置の調節可能な第２の力伝達エレメントをロックするための装置。
【請求項２】
第１の力伝達エレメントに対して回動位置の調節可能な第２の力伝達エレメントをロックするための装置において、
第１の力伝達エレメント（２９）と第２の力伝達エレメント（３１）とが共通の作業室（３５）を備えており、該作業室（３５）がレオロジー的な流体で充填されており、レオロジー的な流体に、レオロジー的な流体を凝固するために、電圧または磁界が負荷されるようになっており、圧力負荷によって両方の前記力伝達エレメント（２９，３１）の相互的な回動位置調節がもたらされるようになっていることを特徴とする、第１の力伝達エレメントに対して回動位置の調節可能な第２の力伝達エレメントをロックするための装置。
【請求項３】
前記第１の力伝達エレメント（２９）が主歯車で前記第２の力伝達エレメント（３１）が調節歯車である、請求項１または２記載の装置。
【請求項４】
前記調節歯車（３１）が溝（３３）を備えており、前記主歯車（２９）が前記溝（３３）に係合するピストン（３４）を備えている、請求項１から３までのいずれか１項記載の装置。
【請求項５】
前記調節歯車（３１）と前記主歯車（２９）とが作業シリンダ（４８）によって相対回動可能に配置されている、請求項１から３までのいずれか１項記載の装置。
【請求項６】
前記溝（３３）が、該溝（３３）の端部に接続された接続管路（５４）と共に閉鎖循環路を形成している、請求項１記載の装置。
【請求項７】
前記溝（３３）または前記作業シリンダ（４８）に電圧または磁界が加えられることによって、レオロジー的な流体に、電圧または磁界が負荷されるようになっている、請求項１から６までのいずれか１項記載の装置。
【請求項８】
圧力負荷のために設けられた供給管路（４１，４２）または前記接続管路（５４）に電圧または磁界が加えられることによって、レオロジー的な流体に、電圧または磁界が負荷されるようになっている、請求項１から６までのいずれか１項記載の装置。
【請求項９】
当該装置が印刷機（１）のターニング装置（２６）に組み込まれている、請求項１から８までのいずれか１項記載の装置。
【発明の詳細な説明】
【０００１】
【発明の属する技術分野】
本発明は、第１の力伝達エレメントに対して回動位置の調節可能な第２の力伝達エレメントをロックするための装置に関する。
【０００２】
【従来の技術】
片面刷り印刷でも両面刷り印刷でも印刷できるようにするためにターニング（裏返し）装置を備えた枚葉紙印刷機は、枚葉紙搬送に関係するグリッパと枚葉紙を案内する胴の位相位置とを位置調節するための装置を必要としている。この場合一般的には、ターニングに関係する胴が切換可能な二重歯車を備えており、この二重歯車を介して、ターニング装置の上流側に配置された歯車列がターニング装置の下流側に配置された歯車列と連結可能である。
【０００３】
ドイツ連邦共和国特許第３５３４４８６号明細書に基づく背景技術によって、調節歯車を主歯車のハブに相対回動可能に配置することが公知である。調節歯車は主歯車に対して、前置または後置された歯車列の駆動によって、調節される。調節歯車を主歯車のハブに固定することは、「収縮嵌め（Schrumpfsitz）」によって得られる。この収縮嵌めの解除は、作動油によって行われ、この作動油は調節歯車と主歯車との間の噛合面にポンピングされる。
【０００４】
【発明が解決しようとする課題】
したがって本発明の課題は、第１の力伝達エレメントに対して第２の力伝達エレメントの位相位置を調節および／または規定するための選択的な装置を提供することである。
【０００５】
【課題を解決するための手段】
この課題を解決するための本発明の装置によれば、第１の力伝達エレメントと第２の力伝達エレメントとが、位置調節によって可変の共通の作業室を備えており、該作業室がレオロジー的な流体である圧力媒体で充填されるようになっており、レオロジー的な流体に、レオロジー的な流体を凝固するために、電圧または磁界が負荷されるようになっている。
【０００６】
この課題を解決するための本発明の別の装置によれば、第１の力伝達エレメントと第２の力伝達エレメントとが共通の作業室を備えており、該作業室がレオロジー的な流体で充填されており、レオロジー的な流体に、レオロジー的な流体を凝固するために、電圧または磁界が負荷されるようになっており、圧力負荷によって両方の力伝達エレメントの相互的な回動位置調節がもたらされるようになっている。
【０００７】
【発明の効果】
本発明の特別な利点によれば、本発明に基づく遊びのないロックによって、極めて高いトルクを伝達できる。このような構成手段によって、本発明は、多数の印刷装置を備えた印刷機のターニング装置にも使用可能である。
【０００８】
別の利点によれば、本発明の装置は、トルクを伝達する構成部分の無断式の調節性能と高いねじれ強さを有している。
【０００９】
さらに有利には、本発明の装置は、ターニング装置の切換時に、位置調節運動を導入するためにも使用できる。
【００１０】
有利な実施形態によれば、主歯車と調節歯車とが適当な形状付与に基づいて、位置調節によって可変の作業室を形成しており、この作業室は、主歯車と調節歯車との間で位相位置の変化が生じるように、圧力媒体によって圧力下で充填可能である。このような構成手段によって、位置調節は、機械の駆動装置とは無関係に、しかも追加的な圧力発生器とは無関係に行うことができる。
【００１１】
別の実施形態によれば、主歯車と調節歯車との間で作業シリンダが枢支式に配置されており、このような配置は作業シリンダが作業媒体で負荷される際に主歯車に対する調節歯車の相対回動をもたらすようにして行われている。
【００１２】
歯車のロックのために、有利にはレオロジー的な流体である作業媒体が、電圧または磁界を加えることによって凝固するので、主歯車に対する調節歯車の全く変化しない座着が形成される。
【００１３】
【発明の実施の形態】
次に本発明の実施の形態を図示の実施例を用いて詳しく説明する。
【００１４】
輪転印刷機たとえば枚葉紙７を処理する印刷機１は、給紙装置２と少なくとも１つの印刷装置３，４と排紙装置６とを備えている。枚葉紙７は枚葉紙スタック（積み紙）８から取り出され、個別化されるかうろこ状にされて給紙テーブル９を介して印刷装置３，４に供給される。これらの印刷装置は公知の形式でそれぞれ少なくとも１つの版胴１１，１２を備えている。版胴１１，１２はそれぞれフレキシブルな版板を固定するための装置１３，１４を１つ備えている。さらに各版胴１１，１２には半自動または全自動式に版板を交換するための装置が配設されている。
【００１５】
枚葉紙スタック８は制御して昇降可能な積み紙台１０に載設されている。枚葉紙７の取り出しは、いわゆるサッカヘッド１８によって枚葉紙スタック８の上面から行われ、サッカヘッド１８はとりわけ枚葉紙７を個別化するための幾つかの昇降サッカ１９と送りサッカ２１とを備えている。さらに上位の枚葉紙層をほぐすための送風装置２２と、スタック追従（後調整）のための検出エレメント２３とが設けられている。枚葉紙スタック８、特に枚葉紙スタック８の上位の枚葉紙７を方向調整するために、幾つかの側方のストッパと後方のストッパとが設けられている。
【００１６】
ここでは印刷装置３，４は単に多数の印刷装置を示すために例示されたにすぎない。設けられた印刷装置３と印刷装置４との間で枚葉紙をターニングするために、蓄えドラム２７とターニングドラム２８とを備えたターニング装置２６が設けられている。ターニングに関係するドラムの１つは、搬送グリッパとターニンググリッパとの間の位相位置の必要な調節のために二重歯車を備えており、この二重歯車は主歯車２９とこれに対して平行に配置された調節歯車３１とから成っており、この調節歯車３１は有利には主歯車２９のハブ３２に位相調節可能に支承されている。この場合主歯車２９はターニング装置２６に上流側または下流側に配置された歯車列と駆動結合されており、調節歯車３１はその都度別の歯車列と駆動結合されている。所望の位相位置で調節歯車３１は主歯車２９と連結可能である。
【００１７】
調節歯車３１は円弧状の溝３３を備えており、その長さは最大調節角度φに相応する。溝３３に作業ピストン３６として形成された主歯車２９の突起が突入する。作業ピストン３６は２つのシールリップ３７，３８を備えている。端面側のシール３９は調節歯車３１と主歯車２９との間に配置されている。溝３３は２つの供給管路４１，４２によってそれぞれ端部で圧力媒体たとえば作動油有利にはレオロジー的な流体で負荷可能である。
【００１８】
設けられた供給管路４９，５０は回転導入部４３を定置の圧力媒体発生器４４と接続する。回転導入部４３と圧力媒体発生器４４との間で２つの方向制御弁４６，４７が供給管路４９，５０に接続されている。方向制御弁４６，４７の切換によって、作業シリンダとして形成された溝３３内で作業ピストン３６の移動が行われるように、溝３３が圧力負荷可能であり、これによって調節歯車３１と、主歯車２９と、これらに接続された歯車、胴、グリッパなどとの位相調節がもたらされる。したがってレオロジー的な流体で作業室たとえば溝３３が圧力負荷されることによって、歯車２９，３１の相互的な回転調節がもたらされる。
【００１９】
所望の位相位置で方向制御弁４６，４７が閉鎖され、供給管路４１，４２または溝３３が電圧または磁界で負荷される。このような構成手段によって、使用されるレオロジー的な流体が凝固するので、主歯車２９に対する調節歯車３１の固定的な座着が得られる。この構成手段によって、歯車の相互的な回転運動は、直接的に、凝固したレオロジー的な流体によって、防止される。
【００２０】
図２および図３に示された第１実施例に対して、図４に示された第２実施例では、シリンダとピストンからなる作業シリンダ４８が、主歯車２９のハブ３２の端面と調節歯車３１の端面とに配置されていて、この配置は、場合によってはてこ腕機構を介して、作業シリンダ４８の圧力負荷時に調節歯車３１が主歯車２９に対して所望の位相角φだけ回動されるように行われている。弁５１の閉鎖によって調節運動を終わらせることができ、この弁５１は回転導入部５０と作業シリンダ４８との間に配置されている。主歯車２９と調節歯車３１との所望の位相位置で、作業シリンダ４８または供給管路５６，５７に電圧または磁界が加えられ、これによってレオロジー的な流体を凝固させ、歯車２９，３１をロックすることができる。
【００２１】
図５に示された第３実施例では、位相調節が印刷機の主駆動装置によって行われるので、回転導入部、弁、圧力発生器などを省略することができる。
【００２２】
ここでは溝３３の両方の端部は、接続管路５４によって互いに連結されている。溝３３ならびに接続管路５４はレオロジー的な流体で充填されており、したがって閉鎖循環路を形成する。第１実施例と同様に、調節歯車３１と主歯車２９との所望の位相位置で、溝３３または接続管路５４に電圧または磁界が加えられ、これによって調節歯車３１を主歯車２９に対してロックすることができる。
【図面の簡単な説明】
【図１】枚葉紙輪転印刷機の概略的な断面図である。
【図２】主歯車の概略的な横断面図である。
【図３】二重歯車の概略的な断面図である。
【図４】選択的な調節装置を備えた二重歯車を示す断面図である。
【図５】簡素化された実施例を示す図である。
【符号の説明】
１  印刷機、  ２  給紙装置、  ３，４  印刷装置、  ６  排紙装置、  ７  枚葉紙、  ８  枚葉紙スタック、  ９  給紙テーブル、  １０  積み紙台、  １１，１２  版胴、  １３，１４  版板固定装置、  １６，１７  版板交換装置、１８  サッカヘッド、  １９  昇降サッカ、  ２１  送りサッカ、  ２２  送風装置、  ２３  検出エレメント、  ２６  ターニング装置、  ２７  蓄えドラム、  ２８  ターニングドラム、  ２９  主歯車、  ３１  調節歯車、  ３２  ハブ、  ３３  溝、  ３６  作業ピストン、  ３７，３８  シールリップ、  ３９  シール、  ４１，４２  供給管路、  ４３  回動導入部、  ４４  圧力媒体発生器、  ４６，４７  弁、  ４８  作業シリンダ、  ４９，５０  供給管路、５１  弁、  ５３  回動導入部、  ５４  接続管路、  ５６，５７  供給管路
【図１】
0004383716.tif 000002
【図２】
0004383716.tif 000003
【図３】
0004383716.tif 000004
【図４】
0004383716.tif 000005
【図５】
0004383716.tif 000006